(57)【要約】【課題】テーブル上に搭載されたプリントメディア表面の所望位置に所望大きさの絵図をダイレクトにプリントできるインクジェットプリンタを提供する。【解決手段】指示手段により指し示されたテーブル１０上のプリントメディア２０表面の基準座標位置２２と絵図をプリントするエリアの位置を示すプリント座標位置２４とを座標読み取り手段により読み取って、その基準座標位置２２とプリント座標位置２４とを、座標表示手段によりディスプレイ上に表示する。そして、そのディスプレイ上のプリント座標位置が示すエリアの位置に、記憶手段に記憶された絵図のイメージをイメージ表示手段により表示する。その後、そのディスプレイ上に表示された絵図又は／及び文字のイメージを、プリントメディア２０表面の基準座標位置２２から所定距離離れたプリント座標位置２４が示すエリアの位置にプリントする。【選択図】図２
2006076099.tif 000002
【特許請求の範囲】
【請求項１】
テーブル上に搭載されたプリントメディア上方をキャリッジに把持されたインクジェットヘッドを記憶手段に記憶された絵図又は／及び文字のプリントデータに従いＸ―Ｙ方向に相対的に移動させて、そのインクジェットヘッドから噴射されるインク滴により、前記プリントメディア表面に絵図又は／及び文字をプリントするプリンタにおいて、
前記テーブル上に搭載されたプリントメディア表面の所望座標位置を指し示す指示手段が備えられて、該指示手段により指し示されたテーブル上のプリントメディア表面のＸ−Ｙ方向に互いに距離Ｘ１−Ｙ１離れた基準座標位置と絵図又は／及び文字をプリントするエリアの位置を示すプリント座標位置とを読み取る座標読み取り手段と、該座標位置読み取り手段により読み取ったプリントメディア表面の基準座標位置とプリント座標位置とを、Ｘ−Ｙ方向に互いに距離Ｘ１／Ｎ−Ｙ１／Ｎ離して、マークとしてディスプレイ上に表示する座標表示手段と、該座標表示手段によりディスプレイ上にマークとして表示されたプリント座標位置が示すエリアの位置に、前記記憶手段に記憶されたプリントメディア表面にプリントしようとする絵図又は／及び文字をＸ−Ｙ方向に１／Ｎ倍に縮小又は拡大した絵図又は／及び文字のイメージを、前記基準座標位置及びプリント座標位置のマークが表示されたディスプレイ上に重ねて表示するイメージ表示手段と、該イメージ表示手段によりディスプレイ上に表示された絵図又は／及び文字のイメージをＸ−Ｙ方向にＮ倍に拡大又は縮小した大きさの絵図又は／及び文字を、前記座標読み取り手段により読み取ったプリントメディア表面の基準座標位置とプリント座標位置とに合せて、プリントメディア表面の基準座標位置からＸ−Ｙ方向に距離Ｘ１−Ｙ１離れたプリント座標位置が示すエリアの位置に、前記記憶手段に記憶された絵図又は／及び文字のプリントデータに従い、前記テーブル上に搭載されたプリントメディア上方をＸ―Ｙ方向に相対的に移動させるキャリッジに把持されたインクジェットヘッドから噴射されるインク滴によりプリントするプリント手段とが備えられたことを特徴とするインクジェットプリンタ。
【請求項２】
テーブル上に搭載されたプリントメディア上方をキャリッジに把持されたインクジェットヘッドを記憶手段に記憶された絵図又は／及び文字のプリントデータに従いＸ―Ｙ方向に相対的に移動させて、そのインクジェットヘッドから噴射されるインク滴により、前記プリントメディア表面に絵図又は／及び文字をプリントするプリンタにおいて、
前記テーブル上に搭載されたプリントメディア表面の所望座標位置を指し示す指示手段が備えられて、該指示手段により指し示されたテーブル上のプリントメディア表面のＸ−Ｙ方向に互いに所定距離離れた基準座標位置と絵図又は／及び文字をプリントするエリアの範囲を示すＸ−Ｙ方向に互いに距離Ｘ２−Ｙ２離れた複数のプリント座標位置とを読み取る座標読み取り手段と、該座標位置読み取り手段により読み取った複数のプリント座標位置を、Ｘ−Ｙ方向に互いに距離Ｘ２／Ｎ−Ｙ２／Ｎ離して、マークとしてディスプレイ上に表示する座標表示手段と、該座標表示手段によりディスプレイ上にマークとして表示された複数のプリント座標位置が示すエリアの範囲内に、前記記憶手段に記憶されたプリントメディア表面にプリントしようとする絵図又は／及び文字をＸ−Ｙ方向に１／Ｎ倍に縮小又は拡大した絵図又は／及び文字のイメージを、複数のプリント座標位置のマークが表示されたディスプレイ上に重ねて表示するイメージ表示手段と、該イメージ表示手段によりディスプレイ上に表示された絵図又は／及び文字のイメージをＸ−Ｙ方向にＮ倍に拡大又は縮小した絵図又は／及び文字を、前記座標読み取り手段により読み取ったプリントメディア表面の基準座標位置と複数のプリント座標位置とに合せて、プリントメディア表面の基準座標位置からＸ−Ｙ方向に所定距離離れた複数のプリント座標位置が示すエリアの範囲内に、前記記憶手段に記憶された絵図又は／及び文字のプリントデータに従い、前記テーブル上に搭載されたプリントメディア上方をＸ―Ｙ方向に相対的に移動させるキャリッジに把持されたインクジェットヘッドから噴射されるインク滴によりプリントするプリント手段とが備えられたことを特徴とするインクジェットプリンタ。
【請求項３】
請求項１記載のインクジェットプリンタを用いたプリント方法であって、次のステップを含むことを特徴とするプリント方法。
ａ前記指示手段によりテーブル上に搭載されたプリントメディア表面のＸ−Ｙ方向に互いに距離Ｘ１−Ｙ１離れた基準座標位置と絵図又は／及び文字をプリントしようとするエリアの位置とをそれぞれ指し示すステップ。
ｂ．前記指示手段により指し示された前記プリントメディア表面の基準座標位置とプリント座標位置とを前記座標読み取り手段によりそれぞれ読み取るステップ。
ｃ．前記座標表示手段を用いて、前記座標読み取り手段により読み取った基準座標位置とプリント座標位置とを、Ｘ−Ｙ方向に互いに距離Ｘ１／Ｎ−Ｙ１／Ｎ離して、ディスプレイ上にマークとしてそれぞれ表示するステップ。
ｄ．前記イメージ表示手段を用いて、前記座標表示手段によりディスプレイ上にマークとして表示されたプリント座標位置が示すエリアの位置に、前記記憶手段に記憶されたプリントメディア表面にプリントしようとする絵図又は／及び文字をＸ−Ｙ方向に１／Ｎ倍に縮小又は拡大した絵図又は／及び文字のイメージを、基準座標位置及びプリント座標位置のマークが表示されたディスプレイ上に重ねて表示するステップ。
ｅ．前記プリント手段を用いて、前記イメージ表示手段によりディスプレイ上に表示された絵図又は／及び文字のイメージをＸ−Ｙ方向にＮ倍に拡大又は縮小した絵図又は／及び文字を、前記座標読み取り手段により読み取ったプリントメディア表面の基準座標位置とプリント座標位置とに合せて、プリントメディア表面の基準座標位置からＸ−Ｙ方向に距離Ｘ１−Ｙ１離れたプリント座標位置が示すエリアの位置に、前記記憶手段に記憶された絵図又は／及び文字のプリントデータに従い、前記テーブル上に搭載されたプリントメディア上方をＸ―Ｙ方向に相対的に移動させるキャリッジに把持されたインクジェットヘッドから噴射されるインク滴によりプリントするステップ。
【請求項４】
請求項２記載のインクジェットプリンタを用いたプリント方法であって、次のステップを含むことを特徴とするプリント方法。
ａ．前記指示手段によりテーブル上に搭載されたプリントメディア表面のＸ−Ｙ方向に互いに所定距離離れた基準座標位置と絵図又は／及び文字をプリントしようとするエリアの範囲を示すＸ−Ｙ方向に互いに距離Ｘ２−Ｙ２離れた複数のプリント座標位置とをそれぞれ指し示すステップ。
ｂ．前記指示手段により指し示されたプリントメディア表面の基準座標位置と複数のプリント座標位置とを前記座標読み取り手段によりそれぞれ読み取るステップ。
ｃ．前記座標表示手段を用いて、前記座標読み取り手段により読み取ったＸ−Ｙ方向に互いに距離Ｘ２−Ｙ２離れた複数のプリント座標位置を、Ｘ−Ｙ方向に互いに距離Ｘ２／Ｎ−Ｙ２／Ｎ離して、ディスプレイ上にマークとしてそれぞれ表示するステップ。
ｄ．前記イメージ表示手段を用いて、前記座標表示手段によりディスプレイ上にマークとして表示された複数のプリント座標位置が示すエリアの範囲内に、前記記憶手段に記憶されたプリントメディア表面にプリントしようとする絵図又は／及び文字をＸ−Ｙ方向に１／Ｎ倍に縮小又は拡大した絵図又は／及び文字のイメージを、複数のプリント座標位置のマークが表示されたディスプレイ上に重ねて表示するステップ。
ｅ．前記プリント手段を用いて、前記イメージ表示手段によりディスプレイ上に表示された絵図又は／及び文字のイメージをＸ−Ｙ方向にＮ倍に拡大又は縮小した絵図又は／及び文字を、前記座標読み取り手段により読み取ったプリントメディア表面の基準座標位置と複数のプリント座標位置とに合せて、プリントメディア表面の基準座標位置からＸ−Ｙ方向に所定距離離れた複数のプリント座標位置が示すエリアの範囲内に、前記記憶手段に記憶された絵図又は／及び文字のプリントデータに従い、前記テーブル上に搭載されたプリントメディア上方をＸ―Ｙ方向に相対的に移動させるキャリッジに把持されたインクジェットヘッドから噴射されるインク滴によりプリントするステップ。
【請求項５】
前記キャリッジをテーブル上に搭載されたプリントメディア上方をＸ―Ｙ方向に一定ピッチずつ相対的に移動させる移動手段が備えられると共に、前記指示手段にテーブル上に搭載されたプリントメディア表面にスポットライトを照射する照射手段が用いられて、その照射手段が前記キャリッジに備えられた請求項１又は２記載のインクジェットプリンタ。
【請求項６】
前記照射手段に、ＬＥＤスポットライトが用いられた請求項５記載のインクジェットプリンタ。
【請求項７】
前記テーブルが、筒状、皿状、ラッパ状又は半円弧状をしたプリントメディアを搭載可能な構造をしており、そのテーブル上に搭載された筒状、皿状、ラッパ状又は半円弧状をしたプリントメディアをＸ方向又はＹ方向に一定ピッチずつ相対的に移動させる前記移動手段のいずれか一方が、プリントメディアをＸ方向又はＹ方向に一定ピッチずつ回転移動させる構造をしている請求項５又は６記載のインクジェットプリンタ。
【請求項８】
前記テーブル上に搭載されたプリントメディアを加熱する加熱手段が備えられた請求項１、２、５、６又は７記載のインクジェットプリンタ。
【発明の詳細な説明】
【技術分野】
【０００１】
本発明は、テーブル上に搭載されたプリントメディア表面の所望位置に絵図又は／及び文字をプリントするインクジェットプリンタと、該プリンタを用いてテーブル上に搭載されたプリントメディア表面の所望位置に絵図又は／及び文字をプリントするプリント方法とに関する。
【背景技術】
【０００２】
近時、インクジェットプリンタを用いて、Ｔシャツ等のプリントメディア（プリント媒体）表面に絵図又は／及び文字をプリントすることが行われている。このインクジェットプリンタを用いたプリント方法によれば、デジタル処理された様々の絵図又は／及び文字を、スクリーン印刷用の版型等を用いずとも、Ｔシャツ等のプリントメディア表面に手数を掛けずに手軽にプリントできる。
【０００３】
このＴシャツ等のプリントメディア表面にマーク等の絵図又は／及び文字をプリントするインクジェットプリンタは、Ｔシャツ等のプリントメディアを平面状に展開させた状態で搭載するテーブルと、該テーブル上に搭載されたプリントメディア上方をテーブル表面と平行なＸ−Ｙ（前後−左右）方向に移動させるキャリッジと、該キャリッジに把持されたインク滴を噴射させるインクジェットヘッドとを備えている。このプリンタによれば、Ｔシャツ等のプリントメディアをテーブル上に平面状に展開させた状態で搭載できる。そして、そのプリントメディア上方をキャリッジをＸ−Ｙ方向に移動させながら、そのキャリッジに把持されたインクジェットヘッドからインク滴をプリントメディア表面に向けて噴射させることができる。そして、そのインク滴をテーブル上に搭載されたプリントメディア表面の所望部位にドット状に着弾させることができる。そして、そのプリントメディア表面に複数のインクのドットが所定形状に配列されてなる絵図又は／及び文字をプリントできる。
【０００４】
このプリンタを用いて、Ｔシャツ等のプリントメディア表面の所望位置に絵図又は／及び文字をプリントする場合には、例えばＴシャツ等のプリントメディアの形状がプリントされた試しプリント用のシートや、そのＴシャツ等のプリントメディアと同じ形状をした試しプリント用のシートをテーブル上に搭載していた。そして、そのシート上方をキャリッジをＸ−Ｙ方向に移動させて、そのキャリッジに把持されたインクジェットヘッドからインク滴をシート表面に向けて噴射させていた。そして、そのシート表面に絵図又は／及び文字を複数回に亙って繰り返し試しプリントしていた。その際には、その絵図又は／及び文字を試しプリントするテーブル上に搭載されたシートの位置を、左右方向、前後方向等に繰り返し移動調整していた。そして、そのシート表面の所望位置に絵図又は／及び文字が的確にプリントにプリントされるように、そのテーブル上に搭載されたシートの位置を繰り返し移動調整していた。次いで、そのテーブル上に搭載されたシート表面の所望位置に絵図又は／及び文字が適切にプリントされたのを確認した後に、その試しプリント用のシートに代えて、Ｔシャツ等のプリントメディアをテーブル上のシートが搭載されていた位置と同じ位置に搭載し直していた。そして、そのプリントメディア上方をＸ−Ｙ方向に移動させるキャリッジに把持されたインクジェットヘッドからプリントメディア表面に向けて噴射させるインク滴により、そのプリントメディア表面の所望位置にマーク等の絵図又は／及び文字をプリントしていた。
【０００５】
また、Ｔシャッツ以外のプラスチック製品、金属製品等に絵図又は／及び文字をプリントする場合には、ホットスタンプ印刷法を用いて、それらのプラスチック製品、金属製品等の所望位置にマーク等の絵図又は／及び文字をプリントしていた。
【特許文献１】特開平１１−１３８７６８号公報
【発明の開示】
【発明が解決しようとする課題】
【０００６】
しかしながら、上記のようにして、マーク等の絵図又は／及び文字をＴシャツ等のプリントメディア表面の所望位置にプリントした場合には、Ｔシャツ等のプリントメディア形状が表面に印刷された試しプリント用のシート、又はＴシャツ等のプリントメディア形状に予めカットされた試しプリント用のシートが必要となって、そのシートの調達に多大な手数と費用を要した。
また、そのテーブル上に搭載された試しプリント用のシート表面に繰り返し試しプリントされた絵図又は／及び文字の位置を基準にして、そのテーブル上に搭載されたシートの位置を、テーブル上を左右方向、前後方向等に繰り返し移動調整する必要があった。そして、そのテーブル上に搭載されたシート表面の所望位置に絵図又は／及び文字が的確にプリントされるように、そのテーブル上に搭載されたシートの位置を複数回に亙って繰り返し移動調整する必要があった。次いで、その試しプリント用のシート表面の所望位置に絵図又は／及び文字が的確にプリントされたのを確認した後に、その試しプリント用のシートに代えて、プリントメディアをテーブル上のシートが搭載されていた位置と同じ位置に多大な手数と時間を掛けて搭載し直す必要があった。
【０００７】
また、プラスチック製品、金属製品等に絵図又は／及び文字をホットスタンプ印刷法によりプリントする場合にも、スクリーン印刷法と同様に、版の製造が必要であり、それらのプラスチック製品、金属製品等に多種多様な絵図又は／及び文字をプリントするのには、ホットスタンプ印刷用の様々の種類の版を手数と時間を掛けて作り変える必要があった。
【０００８】
本発明は、このような課題を解消するためになされたもので、テーブル上に試しプリント用のシートを搭載して、そのシート表面に絵図又は／及び文字を複数回に亙って試しプリントしたり、そのテーブル上に搭載されたシートの位置を繰り返し移動調整したり、スクリーン印刷用やホットスタンプ印刷用の様々の種類の版を製作したりせずとも、テーブル上に搭載されたＴシャツ、プラスチック製品、金属製品等のプリントメディア表面の所望位置に所望大きさの様々の絵図又は／及び文字を容易かつ的確にダイレクトにプリントできるインクジェットプリンタと、該プリンタを用いたプリント方法とを提供することを目的としている。
【課題を解決するための手段】
【０００９】
このような目的を達成するために、本発明の第１のインクジェットプリンタは、テーブル上に搭載されたプリントメディア上方をキャリッジに把持されたインクジェットヘッドを記憶手段に記憶された絵図又は／及び文字のプリントデータに従いＸ―Ｙ方向に相対的に移動させて、そのインクジェットヘッドから噴射されるインク滴により、前記プリントメディア表面に絵図又は／及び文字をプリントするプリンタにおいて、
前記テーブル上に搭載されたプリントメディア表面の所望座標位置を指し示す指示手段が備えられて、該指示手段により指し示されたテーブル上のプリントメディア表面のＸ−Ｙ方向に互いに距離Ｘ１−Ｙ１離れた基準座標位置と絵図又は／及び文字をプリントするエリアの位置を示すプリント座標位置とを読み取る座標読み取り手段と、該座標位置読み取り手段により読み取ったプリントメディア表面の基準座標位置とプリント座標位置とを、Ｘ−Ｙ方向に互いに距離Ｘ１／Ｎ−Ｙ１／Ｎ離して、マークとしてディスプレイ上に表示する座標表示手段と、該座標表示手段によりディスプレイ上にマークとして表示されたプリント座標位置が示すエリアの位置に、前記記憶手段に記憶されたプリントメディア表面にプリントしようとする絵図又は／及び文字をＸ−Ｙ方向に１／Ｎ倍に縮小又は拡大した絵図又は／及び文字のイメージを、前記基準座標位置及びプリント座標位置のマークが表示されたディスプレイ上に重ねて表示するイメージ表示手段と、該イメージ表示手段によりディスプレイ上に表示された絵図又は／及び文字のイメージをＸ−Ｙ方向にＮ倍に拡大又は縮小した大きさの絵図又は／及び文字を、前記座標読み取り手段により読み取ったプリントメディア表面の基準座標位置とプリント座標位置とに合せて、プリントメディア表面の基準座標位置からＸ−Ｙ方向に距離Ｘ１−Ｙ１離れたプリント座標位置が示すエリアの位置に、前記記憶手段に記憶された絵図又は／及び文字のプリントデータに従い、前記テーブル上に搭載されたプリントメディア上方をＸ―Ｙ方向に相対的に移動させるキャリッジに把持されたインクジェットヘッドから噴射されるインク滴によりプリントするプリント手段とが備えられたことを特徴としている。
【００１０】
また、本発明の第１のインクジェットプリンタを用いた本発明の第１のプリント方法は、次のステップを含むことを特徴としている。
ａ．前記指示手段によりテーブル上に搭載されたプリントメディア表面のＸ−Ｙ方向に互いに距離Ｘ１−Ｙ１離れた基準座標位置と絵図又は／及び文字をプリントしようとするエリアの位置とをそれぞれ指し示すステップ。
ｂ．前記指示手段により指し示されたプリントメディア表面の基準座標位置とプリント座標位置とを前記座標読み取り手段によりそれぞれ読み取るステップ。
ｃ．前記座標表示手段を用いて、前記座標読み取り手段により読み取った基準座標位置とプリント座標位置とを、Ｘ−Ｙ方向に互いに距離Ｘ１／Ｎ−Ｙ１／Ｎ離して、ディスプレイ上にマークとしてそれぞれ表示するステップ。
ｄ．前記イメージ表示手段を用いて、前記座標表示手段によりディスプレイ上にマークとして表示されたプリント座標位置が示すエリアの位置に、前記記憶手段に記憶されたプリントメディア表面にプリントしようとする絵図又は／及び文字をＸ−Ｙ方向に１／Ｎ倍に縮小又は拡大した絵図又は／及び文字のイメージを、基準座標位置及びプリント座標位置のマークが表示されたディスプレイ上に重ねて表示するステップ。
ｅ．前記プリント手段を用いて、前記イメージ表示手段によりディスプレイ上に表示された絵図又は／及び文字のイメージをＸ−Ｙ方向にＮ倍に拡大又は縮小した絵図又は／及び文字を、前記座標読み取り手段により読み取ったプリントメディア表面の基準座標位置とプリント座標位置とに合せて、プリントメディア表面の基準座標位置からＸ−Ｙ方向に距離Ｘ１−Ｙ１離れたプリント座標位置が示すエリアの位置に、前記記憶手段に記憶された絵図又は／及び文字のプリントデータに従い、前記テーブル上に搭載されたプリントメディア上方をＸ―Ｙ方向に相対的に移動させるキャリッジに把持されたインクジェットヘッドから噴射されるインク滴によりプリントするステップ。
【００１１】
このような構成の第１のインクジェットプリンタを用いた第１のプリント方法においては、
そのａのステップにおいて、指示手段により、テーブル上に搭載されたプリントメディア表面の、Ｘ―Ｙ方向に互いに距離Ｘ１―Ｙ１離れた、基準座標位置と、絵図又は／及び文字をプリントしようとするエリアの位置を示すプリント座標位置とを、それぞれ指し示すことができる。
そして、そのｂのステップにおいて、その指示手段により指し示されたテーブル上のプリントメディア表面の基準座標位置とプリント座標位置とを、座標読み取り手段によりそれぞれ読み取ることができる。
次いで、そのｃのステップにおいて、座標表示手段を用いて、座標読み取り手段により読み取ったプリントメディア表面の基準座標位置とプリント座標位置とを、ディスプレイ上に、Ｘ―Ｙ方向に互いに距離Ｘ１／Ｎ―Ｙ１／Ｎ離して、マークとしてそれぞれ表示することができる。
次いで、そのｄのステップにおいて、イメージ表示手段を用いて、座標表示手段によりディスプレイ上にマークとして表示されたプリント座標位置が示すエリアの位置に、記憶手段に記憶されたプリントメディア表面にプリントしようとする絵図又は／及び文字をＸ―Ｙ方向に１／Ｎ倍に縮小又は拡大した絵図又は／及び文字のイメージを、基準座標位置及びプリント座標位置のマークが表示されたディスプレイ上に重ねて表示できる。
その後、そのｅのステップにおいて、プリント手段を用いて、イメージ表示手段によりディスプレイ上に表示された絵図又は／及び文字のイメージをＸ−Ｙ方向にＮ倍に拡大又は縮小した絵図又は／及び文字であって、複数のインクのドットが所定形状に配列されてなる絵図又は／及び文字を、座標読み取り手段により読み取ったプリントメディア表面の基準座標位置とプリント座標位置とに合せて、プリントメディア表面の基準座標位置からＸ−Ｙ方向に距離Ｘ１−Ｙ１離れたプリント座標位置が示すエリアの位置に、記憶手段に記憶された絵図又は／及び文字のプリントデータに従い、テーブル上に搭載されたプリントメディア上方をキャリッジをＸ―Ｙ方向に相対的に移動させながら、そのキャリッジに把持されたインクジェットヘッドからプリントメディア表面に向けて噴射させるインク滴により、プリントできる。
【００１２】
また、本発明の第２のインクジェットプリンタは、テーブル上に搭載されたプリントメディア上方をキャリッジに把持されたインクジェットヘッドを記憶手段に記憶された絵図又は／及び文字のプリントデータに従いＸ―Ｙ方向に相対的に移動させて、そのインクジェットヘッドから噴射されるインク滴により、前記プリントメディア表面に絵図又は／及び文字をプリントするプリンタにおいて、
前記テーブル上に搭載されたプリントメディア表面の所望座標位置を指し示す指示手段が備えられて、該指示手段により指し示されたテーブル上のプリントメディア表面のＸ−Ｙ方向に互いに所定距離離れた基準座標位置と絵図又は／及び文字をプリントするエリアの範囲を示すＸ−Ｙ方向に互いに距離Ｘ２−Ｙ２離れた複数のプリント座標位置とを読み取る座標読み取り手段と、該座標位置読み取り手段により読み取った複数のプリント座標位置を、Ｘ−Ｙ方向に互いに距離Ｘ２／Ｎ−Ｙ２／Ｎ離して、マークとしてディスプレイ上に表示する座標表示手段と、該座標表示手段によりディスプレイ上にマークとして表示された複数のプリント座標位置が示すエリアの範囲内に、前記記憶手段に記憶されたプリントメディア表面にプリントしようとする絵図又は／及び文字をＸ−Ｙ方向に１／Ｎ倍に縮小又は拡大した絵図又は／及び文字のイメージを、複数のプリント座標位置のマークが表示されたディスプレイ上に重ねて表示するイメージ表示手段と、該イメージ表示手段によりディスプレイ上に表示された絵図又は／及び文字のイメージをＸ−Ｙ方向にＮ倍に拡大又は縮小した絵図又は／及び文字を、前記座標読み取り手段により読み取ったプリントメディア表面の基準座標位置と複数のプリント座標位置とに合せて、プリントメディア表面の基準座標位置からＸ−Ｙ方向に所定距離離れた複数のプリント座標位置が示すエリアの範囲内に、前記記憶手段に記憶された絵図又は／及び文字のプリントデータに従い、前記テーブル上に搭載されたプリントメディア上方をＸ―Ｙ方向に相対的に移動させるキャリッジに把持されたインクジェットヘッドから噴射されるインク滴によりプリントするプリント手段とが備えられたことを特徴としている。
【００１３】
また、本発明の第２のインクジェットプリンタを用いた本発明の第２のプリント方法は、次のステップを含むことを特徴としている。
ａ．前記指示手段によりテーブル上に搭載されたプリントメディア表面のＸ―Ｙ方向に互いに所定距離離れた基準座標位置と絵図又は／及び文字をプリントしようとするエリアの範囲を示すＸ−Ｙ方向に互いに距離Ｘ２−Ｙ２離れた複数のプリント座標位置とをそれぞれ指し示すステップ。
ｂ．前記指示手段により指し示されたプリントメディア表面の基準座標位置と複数のプリント座標位置とを前記座標読み取り手段によりそれぞれ読み取るステップ。
ｃ．前記座標表示手段を用いて、前記座標読み取り手段により読み取ったＸ−Ｙ方向に互いに距離Ｘ２−Ｙ２離れた複数のプリント座標位置を、Ｘ−Ｙ方向に互いに距離Ｘ２／Ｎ−Ｙ２／Ｎ離して、ディスプレイ上にマークとしてそれぞれ表示するステップ。
ｄ．前記イメージ表示手段を用いて、前記座標表示手段によりディスプレイ上にマークとして表示された複数のプリント座標位置が示すエリアの範囲内に、前記記憶手段に記憶されたプリントメディア表面にプリントしようとする絵図又は／及び文字をＸ−Ｙ方向に１／Ｎ倍に縮小又は拡大した絵図又は／及び文字のイメージを、複数のプリント座標位置のマークが表示されたディスプレイ上に重ねて表示するステップ。
ｅ．前記プリント手段を用いて、前記イメージ表示手段によりディスプレイ上に表示された絵図又は／及び文字のイメージをＸ−Ｙ方向にＮ倍に拡大又は縮小した絵図又は／及び文字を、前記座標読み取り手段により読み取ったプリントメディア表面の基準座標位置と複数のプリント座標位置とに合せて、プリントメディア表面の基準座標位置からＸ−Ｙ方向に所定距離離れた複数のプリント座標位置が示すエリアの範囲内に、前記記憶手段に記憶された絵図又は／及び文字のプリントデータに従い、前記テーブル上に搭載されたプリントメディア上方をＸ―Ｙ方向に相対的に移動させるキャリッジに把持されたインクジェットヘッドから噴射されるインク滴によりプリントするステップ。
【００１４】
このような構成の第２のインクジェットプリンタを用いた第２のプリント方法においては、
そのａのステップにおいて、指示手段により、テーブル上に搭載されたプリントメディア表面の、Ｘ−Ｙ方向に互いに所定距離離れた、基準座標位置と、Ｘ―Ｙ方向に互いに距離Ｘ２―Ｙ２離れた絵図又は／及び文字をプリントしようとするエリアの範囲を示す複数のプリント座標位置とを、それぞれ指し示すことができる。
そして、そのｂのステップにおいて、その指示手段により指し示されたテーブル上のプリントメディア表面の基準座標位置と複数のプリント座標位置とを、座標読み取り手段によりそれぞれ読み取ることができる。
次いで、そのｃのステップにおいて、座標表示手段を用いて、座標読み取り手段により読み取った複数のプリント座標位置を、Ｘ―Ｙ方向に互いに距離Ｘ２／Ｎ―Ｙ２／Ｎ離して、ディスプレイ上にマークとしてそれぞれ表示することができる。
次いで、そのｄのステップにおいて、イメージ表示手段を用いて、座標表示手段によりディスプレイ上にマークとして表示された複数のプリント座標位置が示すエリアの範囲内に、記憶手段に記憶されたプリントメディア表面にプリントしようとする絵図又は／及び文字をＸ―Ｙ方向に１／Ｎ倍に縮小又は拡大した絵図又は／及び文字のイメージを、複数のプリント座標位置のマークが表示されたディスプレイ上に重ねて表示できる。
その後、そのｅのステップにおいて、プリント手段を用いて、イメージ表示手段によりディスプレイ上に表示された絵図又は／及び文字のイメージをＸ−Ｙ方向にＮ倍に拡大又は縮小した絵図又は／及び文字であって、複数のインクのドットが所定形状に配列されてなる絵図又は／及び文字を、座標読み取り手段により読み取ったプリントメディア表面の基準座標位置と複数のプリント座標位置とに合せて、プリントメディア表面の基準座標位置からＸ−Ｙ方向に所定距離離れた複数のプリント座標位置が示すエリアの範囲内に、記憶手段に記憶された絵図又は／及び文字のプリントデータに従い、テーブル上に搭載されたプリントメディア上方をキャリッジをＸ―Ｙ方向に相対的に移動させながら、そのキャリッジに把持されたインクジェットヘッドからプリントメディア表面に向けて噴射させるインク滴によりプリントできる。
【００１５】
本発明の第１、第２のインクジェットプリンタにおいては、前記キャリッジをテーブル上に搭載されたプリントメディア上方をＸ―Ｙ方向に一定ピッチずつ相対的に移動させる移動手段が備えられると共に、前記指示手段にテーブル上に搭載されたプリントメディア表面にスポットライトを照射する照射手段のＬＥＤスポットライト等が用いられて、その照射手段が前記キャリッジに備えられた構造とすることが好ましい。
そうした場合には、本発明の第１、第２のプリント方法のａのステップにおいて、移動手段によりキャリッジをテーブル上に搭載されたプリントメディア上方をＸ―Ｙ方向に一定ピッチずつ相対的に移動させることができる。そして、キャリッジに備えられた指示手段である照射手段のＬＥＤスポットライト等から照射されるスポットライトを、テーブル上に搭載されたプリントメディア表面のＸ−Ｙ方向に互いに距離Ｘ１−Ｙ１離れた基準座標位置と絵図又は／及び文字をプリントしようとするエリアの位置を示すプリント座標位置、又はテーブル上に搭載されたプリントメディア表面のＸ−Ｙ方向に互いに所定距離離れた基準座標位置と絵図又は／及び文字をプリントしようとするエリアの範囲を示す複数のプリント座標位置とにそれぞれ順に当てることができる。
そして、本発明の第１、第２のプリント方法のｂのステップにおいて、指示手段である照射手段から照射されたスポットライトを順に当てたプリントメディア表面の基準座標位置とプリント座標位置とを座標読み取り手段によりそれぞれ順に読み取ることができる。
【００１６】
本発明の第１、第２のインクジェットプリンタにおいては、指示手段を、キャリッジに備えられた上下に移動操作可能な針状の支持棒としても良い。
そうした場合には、その支持棒下端をテーブル上に搭載されたプリントメディア表面近傍まで下げて、その支持棒下端によりプリントメディア表面の基準座標位置やプリント座標位置を指し示すことができる。支持棒の上下移動操作は、手動、自動のいずれでも良く、支持棒は、その下端位置をプリンタオペレータが目視で的確に判定可能な形状とすることが好ましい。
【００１７】
なお、指示手段や、座標読み取り手段には、プリントメディアが搭載されるテーブル全体に亙って荷装着されたデジタイザ機能を持つ手段を用いることも可能である。
【００１８】
本発明の第１、第２のインクジェットプリンタにおいて、キャリッジをＸ―Ｙ方向に一定ピッチずつ相対的に移動させる移動手段には、インクジェットプリンタに備えられたジョグキーを用いることが好ましい。そして、そのジョグキーをプリンタオペレータが操作して、キャリッジに備えられた指示手段により、プリントメディア表面の基準座標位置やプリント座標位置を指し示すことが好ましい。
ジョグキーは、インクジェットプリンタ本体に装着されたもの、インクジェットプリンタ本体にケーブル接続されたリモートコントローラに備えられたもの、インクジェットプリンタ本体にケーブル接続されていない、無線操縦式のリモートコントローラに備えられたもの等のいずれでも良い。
【００１９】
プリントメディアは、平面形状のものばかりではなく、筒状、皿状、ラッパ状又は半円弧状のものでも良い。ただし、プリントメディアが筒状、皿状、ラッパ状又は半円弧状をしている場合には、そのプリントメディア搭載用のテーブルを、プリントメディアの形状に合せて、ローラ構造等をした様々の構造に変更する必要がある。そして、そのテーブル上に搭載された筒状、皿状、ラッパ状又は半円弧状をしたプリントメディアをＸ方向又はＹ方向に一定ピッチずつ相対的に移動させる移動手段のいずれか一方を、そのプリントメディアをＸ方向又はＹ方向に一定ピッチずつ回転移動させる構造等とする必要がある。
【００２０】
本発明の第１、第２のインクジェットプリンタにおいては、テーブル上に搭載されたプリントメディアを加熱する加熱手段を備えると良い。そして、そのテーブルに搭載されたプリントメディアを加熱して、そのプリントメディア表面にインクジェットヘッドから噴射されて着弾するインク滴を早期に確実に乾燥させると良い。そして、そのインク滴によりプリントメディア表面に形成されるインクのドットをプリントメディアに付着力強く確実に付着させると良い。
【発明の効果】
【００２１】
以上説明したように、本発明の第１、第２のインクジェットプリンタを用いた本発明の第１、第２のプリント方法によれば、テーブル上に搭載された試しシート表面に絵図又は／及び文字を複数回に亙って繰り返し試しプリントしたり、その試しシート表面に試しプリントされた絵図又は／及び文字の位置を基準にして、テーブル上に搭載されたシートの位置を繰り返し移動調整したり、そのテーブル上に搭載されたシートに代えて、プリントメディアをテーブル上に搭載し直したりせずとも、テーブル上に搭載されたプリントメディア表面の所望位置や所望エリア内に所望大きさの様々の絵図又は／及び文字を手数を掛けずにダイレクトに容易かつ的確にプリントすることが可能となる。
また、プリントメディアを搭載するテーブルをローラ構造等に変更することにより、筒状、皿状、ラッパ状又は半円弧状をしたプリントメディア表面の所望位置や所望エリア内にも、所望大きさの様々の絵図又は／及び文字を手数を掛けずにダイレクトに容易かつ的確にプリントすることが可能となる。
【発明を実施するための最良の形態】
【００２２】
次に、本発明の実施の形態を図面に従い説明する。
図１と図２は本発明の第１のインクジェットプリンタの好適な実施の形態を示し、図１はその概略構成図、図２はその使用説明図である。以下に、この第１のインクジェットプリンタを説明する。
【００２３】
図１と図２には、テーブル１０上に搭載されたプリントメディア２０上方をキャリッジ３０に把持されたインクジェットヘッド３２を、プリンタ駆動用のホストコンピュータ４０に内蔵された記憶手段４４に記憶された絵図又は／及び文字のプリントデータに従い、Ｘ―Ｙ方向に相対的に移動させて、そのインクジェットヘッド３２下面に並ぶ複数のノズル（図示せず）から噴射されるインク滴により、テーブル１０上に搭載されたプリントメディア２０表面に絵図又は／及び文字をプリントするインクジェットプリンタが表示されている。
このプリンタにおいては、テーブル１０をガイドテーブル１２側縁に沿ってＸ（前後）方向に移動させたり、キャリッジ３０をガイドレール３４周囲に沿ってＹ（左右）方向に移動させたりして、テーブル１０上に搭載されたプリントメディア２０上方をキャリッジ３０をＸ−Ｙ方向に相対的に移動させている。
プリンタ本体右側の操作パネル５４上には、テーブル１０をガイドテーブル１２側縁に沿って手動により一定ピッチずつＸ方向に移動させたり、キャリッジ３０をガイドレール３４周囲に沿って手動により一定ピッチずつＹ方向に移動させたりする複数個のジョグキー５２が並べて備えられている。そして、そのジョグキー５２により、キャリッジ３０を、テーブル１０上に搭載されたプリントメディア２０上方を手動操作によりＸ―Ｙ方向に相対的に移動させることができるように構成されている。ジョグキー５２は、キャリッジ３０をテーブル１０上に搭載されたプリントメディア２０上方をＸ―Ｙ方向に相対的に移動させる移動手段５０を構成している。
【００２４】
インクジェットヘッド３２を把持したキャリッジ３０には、テーブル１０上に搭載されたプリントメディア２０表面に点状、十字状等のスポットライトを照射するＬＥＤ（Ｌｉｇｈｔ  Ｅｍｉｔｔｉｎｇ  Ｄｉｏｄｅ）スポットライト等の照射手段６２が備えられている。照射手段６２は、テーブル１０上に搭載されたプリントメディア２０表面の所望座標位置を指し示す指示手段６０を構成している。
また、照射手段６２から照射されたスポットライトを当てるテーブル１０上のプリントメディア２０表面のＸ−Ｙ方向に互いに距離Ｘ１−Ｙ１離れた基準座標位置と絵図又は／及び文字をプリントするエリアの位置を示すプリント座標位置とを順に読み取る座標読み取り手段７０が備えられている。座標読み取り手段７０は、テーブル１０及びキャリッジ３０の位置を読み取るエンコーダ（図示せず）、ホストコンピュータ４０内蔵の電子回路等を用いて構成されている。
また、座標位置読み取り手段７０により読み取ったプリントメディア２０表面の基準座標位置とプリント座標位置とを、Ｘ−Ｙ方向に互いに距離Ｘ１／Ｎ−Ｙ１／Ｎ離して、ディスプレイ４２上に点状、十字状等のマークとして表示する座標表示手段７２が備えられている。座標表示手段７２は、ホストコンピュータ４０内蔵の電子制御回路等を用いて構成されている。
また、座標表示手段７２によりディスプレイ４２上にマークとして表示されたプリント座標位置が示すエリアの位置に、ホストコンピュータ４０内蔵の記憶手段４４に記憶されたプリントメディア２０表面にプリントしようとする絵図又は／及び文字をＸ−Ｙ方向に１／Ｎ倍に縮小又は拡大した絵図又は／及び文字のイメージを、基準座標位置及びプリント座標位置のマークが表示されたディスプレイ４２上に重ねて表示するイメージ表示手段７６が備えられている。イメージ表示手段７６は、ホストコンピュータ４０内蔵の電子制御回路等を用いて構成されている。
また、イメージ表示手段７６によりディスプレイ４２上に表示された絵図又は／及び文字のイメージをＸ−Ｙ方向にＮ倍に拡大又は縮小した絵図又は／及び文字を、座標読み取り手段７０により読み取ったプリントメディア２０表面の基準座標位置とプリント座標位置とに合せて、プリントメディア２０表面の基準座標位置からＸ−Ｙ方向に距離Ｘ１−Ｙ１離れたプリント座標位置が示すエリアの位置に、記憶手段４４に記憶された絵図又は／及び文字のプリントデータに従い、テーブル１０上に搭載されたプリントメディア２０上方をＸ―Ｙ方向に相対的に移動させるキャリッジ３０に把持されたインクジェットヘッド３２下面に並ぶノズルから噴射されるインク滴によりプリントするプリント手段７８が備えらている。プリント手段７８は、テーブル１０駆動用の駆動モータ（図示せず）、キャリッジ３０走行用の駆動モータ（図示せず）、ホストコンピュータ４０内蔵の電子制御回路等から構成されている。
【００２５】
図１と図２に示した第１のインクジェットプリンタは、以上のように構成されている。
次に、この第１のプリンタを用いた、本発明の第１のプリント方法の好適な実施の形態を説明する。
【００２６】
この第１のプリント方法においては、図２に示したように、プリントメディア２０の例えばＴシャツを、Ｔシャツ形状をした型板８０周囲に被せて、型板８０と共に、テーブル１０上に搭載している。そして、プリントメディア２０のＴシャツを、テーブル１０上に平面状に展開させた状態で搭載している。
そして、ａのステップにおいて、キャリッジ３０をテーブル１０上方を移動手段５０のジョグキー５２を用いて手動操作によりＸ―Ｙ方向に相対的に移動させている。そして、そのキャリッジ３０に備えられた指示手段６０の照射手段６２から照射される点状、十字状等のスポットライトを、テーブル１０上に平面状に展開させて搭載されたプリントメディア２０表面のＸ−Ｙ方向に互いに距離Ｘ１−Ｙ１離れた基準座標位置である、例えばＴシャツの襟首の根本部分２２と、ＡＢＣ等の絵図又は／及び文字をプリントしようとするエリアの位置を示すプリントメディア２０表面のプリント座標位置の、例えばＴシャツの左胸中央上部２４とにそれぞれ順に当てている。
そして、ｂのステップにおいて、照射手段６２から照射された点状、十字状等のスポットライトを順に当てたテーブル１０上のプリントメディア２０表面の基準座標位置である例えばＴシャツの襟首の根本部分２２の座標位置と、絵図又は／及び文字をプリントしようとするエリアの位置を示すプリントメディア２０表面のプリント座標位置の例えばＴシャツの左胸中央上部２４の座標位置とを、座標読み取り手段７０によりそれぞれ順に読み取っている。
そして、ｃのステップにおいて、座標表示手段７２を用いて、座標読み取り手段７０により読み取ったプリントメディア２０表面のＸ―Ｙ方向に互いに距離Ｘ１―Ｙ１離れた基準座標位置と絵図又は／及び文字をプリントしようとするエリアの位置を示すプリント座標位置とを、Ｘ―Ｙ方向に互いに距離Ｘ１／Ｎ―Ｙ１／Ｎ離して、ディスプレイ４２上に点状、十字状等のマークとしてそれぞれ表示している。
次いで、ｄのステップにおいて、イメージ表示手段７６を用いて、座標表示手段７２によりディスプレイ４２上にマークとして表示されたプリント座標位置が示すエリアの位置に、ホストコンピュータの記憶手段４４に記憶されたプリントメディア２０表面にプリントしようとするＡＢＣ等の絵図又は／及び文字をＸ―Ｙ方向に１／Ｎ倍に縮小又は拡大した絵図又は／及び文字のイメージを、基準座標位置及びプリント座標位置のマークが表示されたディスプレイ４２上に重ねて表示している。
その後、ｅのステップにおいて、プリント手段７８を用いて、イメージ表示手段７６によりディスプレイ４２上に表示された絵図又は／及び文字のイメージをＸ―Ｙ方向にＮ倍に拡大又は縮小したＡＢＣ等の絵図又は／及び文字を、座標読み取り手段７０により読み取ったプリントメディア２０表面の基準座標位置とプリント座標位置とに合せて、プリントメディア２０表面の基準座標位置からＸ―Ｙ方向に距離Ｘ１―Ｙ１離れたプリント座標位置が示すエリアの位置の例えばＴシャツの左胸中央上部２２に、記憶手段４４に記憶された絵図又は／及び文字のプリントデータに従い、テーブル１０上に搭載されたプリントメディア２０上方をＸ―Ｙ方向に相対的に移動させるインクジェットヘッド３２下面に並ぶ複数のノズルから噴射されるインク滴によりプリントしている。
図１と図２に示した第１のインクジェットプリンタを用いた第１のプリント方法は、以上のａ〜ｅのステップからなっている。
【００２７】
図１と図３は本発明の第２のインクジェットプリンタの好適な実施例を示し、図１はその概略構成図、図３はその使用説明図である。以下に、この第２のインクジェットプリンタを説明する。
【００２８】
この第２のプリンタにおいては、指示手段６０の照射手段６２から照射されたスポットライトを当てるテーブル１０上のプリントメディア２０表面のＸ―Ｙ方向に互いに所定距離離れた基準座標位置と絵図又は／及び文字をプリントするエリアの範囲を示すＸ−Ｙ方向に互いに距離Ｘ２−Ｙ２離れた複数のプリント座標位置とを順に読み取る座標読み取り手段７０が備えられている。座標読み取り手段７０は、テーブル１０及びキャリッジ３０の位置を読み取るエンコーダ（図示せず）、ホストコンピュータ４０内蔵の電子回路等を用いて構成されている。
また、座標位置読み取り手段７０により読み取ったプリントメディア２０表面の複数のプリント座標位置を、Ｘ−Ｙ方向に互いに距離Ｘ２／Ｎ−Ｙ２／Ｎ離して、ディスプレイ４２上に点状、十字状等のマークとして表示する座標表示手段７２が備えられている。座標表示手段７２は、ホストコンピュータ４０内蔵の電子制御回路等を用いて構成されている。
また、座標表示手段７２によりディスプレイ４２上にマークとして表示された複数のプリント座標位置が示すエリアの範囲内に、ホストコンピュータ４０内蔵の記憶手段４４に記憶されたプリントメディア２０表面にプリントしようとする絵図又は／及び文字をＸ−Ｙ方向に１／Ｎ倍に縮小又は拡大した絵図又は／及び文字のイメージを、複数のプリント座標位置のマークが表示されたディスプレイ４２上に重ねて表示するイメージ表示手段７６が備えられている。イメージ表示手段７６は、ホストコンピュータ４０内蔵の電子制御回路等を用いて構成されている。
また、イメージ表示手段７６によりディスプレイ４２上に表示された絵図又は／及び文字のイメージをＸ−Ｙ方向にＮ倍に拡大又は縮小した絵図又は／及び文字を、座標読み取り手段７０により読み取ったプリントメディア２０表面の基準座標位置と複数のプリント座標位置とに合せて、プリントメディア２０表面の基準座標位置からＸ−Ｙ方向に所定距離離れた複数のプリント座標位置が示すエリアの範囲内に、記憶手段４４に記憶された絵図又は／及び文字のプリントデータに従い、テーブル１０上に搭載されたプリントメディア２０上方をＸ―Ｙ方向に相対的に移動させるキャリッジ３０に把持されたインクジェットヘッド３２下面に並ぶノズルから噴射されるインク滴によりプリントするプリント手段７８が備えらている。プリント手段７８は、テーブル１０駆動用の駆動モータ（図示せず）、キャリッジ３０走行用の駆動モータ（図示せず）、ホストコンピュータ４０内蔵の電子制御回路等から構成されている。
【００２９】
図１と図３に示した第２のインクジェットプリンタのその他の構成は、図１と図２に示した第１のインクジェットプリンタと同様に構成されている。
次に、この第２のプリンタを用いた、本発明の第２のプリント方法の好適な実施の形態を説明する。
【００３０】
この第２のプリント方法においては、図３に示したように、プリントメディア２０の例えばＴシャツを、Ｔシャツ形状をした型板８０周囲に被せて、型板８０と共に、テーブル１０上に搭載している。そして、プリントメディア２０のＴシャツを、テーブル１０上に平面状に展開させた状態で搭載している。
そして、ａのステップにおいて、キャリッジ３０をテーブル１０上方を移動手段５０のジョグキー５２を用いて手動操作によりＸ―Ｙ方向に相対的に移動させている。そして、そのキャリッジ３０に備えられた指示手段６０の照射手段６２から照射される点状、十字状等のスポットライトを、テーブル１０上に平面状に展開させて搭載されたプリントメディア２０表面のＸ―Ｙ方向に互いに所定距離離れた、基準座標位置である、例えばＴシャツの襟首の根本部分２２と、ＡＢＣ等の絵図又は／及び文字をプリントしようとするエリアの範囲を示すプリントメディア２０表面のＸ−Ｙ方向に互いに距離Ｘ２−Ｙ２離れた複数のプリント座標位置の、例えばＴシャツの右胸中央左側上部２６と右胸中央右側下部２８とにそれぞれ順に当てている。
そして、ｂのステップにおいて、照射手段６２から照射された点状、十字状等のスポットライトを順に当てたテーブル１０上のプリントメディア２０表面の、基準座標位置である例えばＴシャツの襟首の根本部分２２の座標位置と、絵図又は／及び文字をプリントしようとするエリアの範囲を示す複数のプリント座標位置の例えばＴシャツの左胸中央右側上部２６と左胸中央左側下部２８の座標位置とを、座標読み取り手段７０によりそれぞれ順に読み取っている。
そして、ｃのステップにおいて、座標表示手段７２を用いて、座標読み取り手段７０により読み取ったプリントメディア２０表面の絵図又は／及び文字をプリントしようとするエリアの範囲を示すＸ―Ｙ方向に互いに距離Ｘ２―Ｙ２離れた複数のプリント座標位置を、Ｘ―Ｙ方向に互いに距離Ｘ２／Ｎ―Ｙ２／Ｎ離して、ディスプレイ４２上に点状、十字状等のマークとしてそれぞれ表示している。
次いで、ｄのステップにおいて、イメージ表示手段７６を用いて、座標表示手段７２によりディスプレイ４２上にマークとして表示された複数のプリント座標位置が示すエリアの範囲内に、ホストコンピュータの記憶手段４４に記憶されたプリントメディア２０表面にプリントしようとする絵図又は／及び文字をＸ―Ｙ方向に１／Ｎ倍に縮小又は拡大した絵図又は／及び文字のイメージを、複数のプリント座標位置のマークが表示されたディスプレイ４２上に重ねて表示している。
その後、ｅのステップにおいて、プリント手段７８を用いて、イメージ表示手段７６によりディスプレイ４２上に表示された絵図又は／及び文字のイメージをＸ―Ｙ方向にＮ倍に拡大又は縮小した絵図又は／及び文字を、座標読み取り手段７０により読み取ったプリントメディア２０表面の基準座標位置と複数のプリント座標位置とに合せて、プリントメディア２０表面の基準座標位置からＸ―Ｙ方向に所定距離離れた複数のプリント座標位置が示すエリアの範囲内の例えばＴシャツの左胸中央右側上部２６と左胸中央左側下部２８の座標位置を対角線の両端とする方形枠内に、記憶手段４４に記憶された絵図又は／及び文字のプリントデータに従い、テーブル１０上に搭載されたプリントメディア２０上方をＸ―Ｙ方向に相対的に移動させるインクジェットヘッド３２下面に並ぶ複数のノズルから噴射されるインク滴によりプリントしている。
図１と図３に示した第２のインクジェットプリンタを用いた第２のプリント方法は、以上のａ〜ｅのステップからなっている。
【００３１】
この第１、第２のインクジェットプリンタを用いた第１、第２のプリント方法においては、そのａのステップにおいて、テーブル１０上に平面状に展開させて搭載されたＴシャツ等のプリントメディア２０上方をキャリッジ３０を、移動手段５０のジョグキー５２を用いて、手動操作によりＸ―Ｙ方向に一定ピッチずつ相対的に移動させることができる。
そして、第１のインクジェットプリンタを用いた第１のプリント方法では、そのキャリッジ３０に備えられた指示手段６０のＬＥＤスポットライト等の照射手段６２から照射されるスポットライトを、テーブル１０上に搭載されたプリントメディア２０表面のＸ―Ｙ方向に互いに距離Ｘ１―Ｙ１離れた基準座標位置と、絵図又は／及び文字をプリントしようとするプリントメディア２０表面のエリアの位置を示す１つ等のプリント座標位置とに、それぞれ順に当てることができる。
他方、第２のインクジェットプリンタを用いた第２のプリント方法では、そのキャリッジ３０に備えられた指示手段６０のＬＥＤスポットライト等の照射手段６２から照射されるスポットライトを、テーブル１０上に搭載されたプリントメディア２０表面のＸ―Ｙ方向に互いに所定距離離れた、基準座標位置と、絵図又は／及び文字をプリントしようとするプリントメディア２０表面のエリアの範囲を示すＸ―Ｙ方向に互いに距離Ｘ２―Ｙ２離れた２つ等の複数のプリント座標位置とに、それぞれ順に当てることができる。
そして、第１、第２のインクジェットプリンタを用いた第１、第２のプリント方法共、そのｂのステップにおいて、その照射手段６２から照射されたスポットライトを順に当てたテーブル１０上のプリントメディア２０表面の基準座標位置と絵図又は／及び文字をプリントしようとするプリントメディア２０表面のエリアの位置又はエリアの範囲を示す１つ又は複数のプリント座標位置とを、座標読み取り手段７０によりそれぞれ順に読み取ることができる。
次いで、第１のインクジェットプリンタを用いた第１のプリント方法では、そのｃのステップにおいて、座標表示手段７２を用いて、座標読み取り手段７０により読み取ったプリントメディア２０表面のＸ―Ｙ方向に互いに距離Ｘ１―Ｙ１離れた基準座標位置と絵図又は／及び文字をプリントしようとするプリントメディア２０表面のエリアの位置を示すプリント座標位置とを、Ｘ―Ｙ方向に互いに距離Ｘ１／Ｎ―Ｙ１／Ｎ離して、ディスプレイ４２上にマークとしてそれぞれ表示することができる。
他方、第２のインクジェットプリンタを用いた第２のプリント方法では、そのｃのステップにおいて、座標表示手段７２を用いて、座標読み取り手段７０により読み取ったプリントメディア２０表面の絵図又は／及び文字をプリントしようとするプリントメディア２０表面のエリアの範囲を示すＸ―Ｙ方向に互いに距離Ｘ２―Ｙ２離れた複数のプリント座標位置を、Ｘ―Ｙ方向に互いに距離Ｘ２／Ｎ―Ｙ２／Ｎ離して、ディスプレイ４２上にマークとしてそれぞれ表示することができる。
次いで、第１のインクジェットプリンタを用いた第１のプリント方法では、そのｄのステップにおいて、イメージ表示手段７６を用いて、座標表示手段７２によりディスプレイ４２上にマークとして表示されたプリント座標位置が示すエリアの位置に、記憶手段４４に記憶されたプリントメディア２０表面にプリントしようとする絵図又は／及び文字をＸ―Ｙ方向に１／Ｎ倍に縮小又は拡大した絵図又は／及び文字のイメージを、基準座標位置及びプリント座標位置のマークが表示されたディスプレイ４２上に重ねて表示できる。
他方、第２のインクジェットプリンタを用いた第２のプリント方法では、そのｄのステップにおいて、イメージ表示手段７６を用いて、座標表示手段７２によりディスプレイ４２上にマークとして表示された複数のプリント座標位置が示すエリアの範囲内に、記憶手段４４に記憶されたプリントメディア２０表面にプリントしようとする絵図又は／及び文字をＸ―Ｙ方向に１／Ｎ倍に縮小又は拡大した絵図又は／及び文字のイメージを、複数のプリント座標位置のマークが表示されたディスプレイ４２上に重ねて表示できる。
その後、第１のインクジェットプリンタを用いた第１のプリント方法では、そのｅのステップにおいて、プリント手段７８を用いて、イメージ表示手段７６によりディスプレイ４２上に表示された記憶手段４４に記憶されたプリントしようとする絵図又は／及び文字のイメージをＮ倍に拡大又は縮小した絵図又は／及び文字を、座標読み取り手段７０により読み取ったプリントメディア２０表面の基準座標位置とプリント座標位置とに合せて、プリントメディア２０表面の基準座標位置からＸーＹ方向に距離Ｘ１ーＹ１離れたプリント座標位置が示すエリアの位置の、例えばＴシャツの左胸中央上部２４を上端中央とするエリア部分に、記憶手段４４に記憶された絵図又は／及び文字のプリントデータに従い、テーブル１０上に搭載されたプリントメディア２０上方をキャリッジ３０をＸ―Ｙ方向に相対的に移動させながら、そのキャリッジ３０に把持されたインクジェットヘッド３２からプリントメディア２０表面に向けて噴射させるインク滴により、プリントできる。
他方、第２のインクジェットプリンタを用いた第２のプリント方法においては、そのｅのステップにおいて、プリント手段７８を用いて、イメージ表示手段７６によりディスプレイ４２上に表示された記憶手段４４に記憶されたプリントしようとする絵図又は／及び文字のイメージをＮ倍に拡大又は縮小した絵図又は／及び文字を、座標読み取り手段７０により読み取ったプリントメディア２０表面の基準座標位置と複数のプリント座標位置とに合せて、プリントメディア２０表面の基準座標位置からＸーＹ方向に互いに所定距離離れた複数のプリント座標位置が示すエリアの範囲内の、例えばＴシャツの左胸中央右側上部２６と左胸左側下部２８とを結ぶ線を対角線とする方形枠内部分に、記憶手段４４に記憶された絵図又は／及び文字のプリントデータに従い、テーブル１０上に搭載されたプリントメディア２０上方をキャリッジ３０をＸ―Ｙ方向に相対的に移動させながら、そのキャリッジ３０に把持されたインクジェットヘッド３２からプリントメディア２０表面に向けて噴射させるインク滴により、プリントできる。
【００３２】
その結果、図１と図２又は図３に示した第１、第２インクジェットプリンタを用いた、第１、第２のプリント方法によれば、テーブル１０上に搭載されたＴシャツ等のプリントメディア２０表面の基準座標位置からＸ―Ｙ方向に互いに距離Ｘ１―Ｙ１離れたプリント座標位置が示す所望位置の左胸中央上部等や、テーブル１０上に搭載されたＴシャツ等のプリントメディア２０表面の基準座標位置からＸ―Ｙ方向に互いに所定距離離れた複数のプリント座標位置が示す所望エリア内の左胸中央上部等に、所望大きさの様々の絵図又は／及び文字を手数を掛けずにダイレクトに容易かつ的確にプリントすることが可能となる。
【００３３】
図４には、円筒状をしたプリントメディア表面の所望位置に絵図又は／及び文字をプリントする本発明の第１、第２のインクジェットプリンタの好適な実施の形態が示され、図５には、皿状をしたプリントメディア表面の所望位置に絵図又は／及び文字をプリントする本発明の第１、第２のインクジェットプリンタの好適な実施の形態が示され、図７には、ラッパ状、半円弧状をしたプリントメディア表面の所望位置に絵図又は／及び文字をプリントする本発明の第１、第２のインクジェットプリンタの好適な実施の形態が示されている。
以下に、これらの第１、第２のインクジェットプリンタを説明する。
【００３４】
図４に示したプリンタは、円筒状をしたプリントメディア２０表面に絵図又は／及び文字をプリントするためのプリンタであって、その円筒状をしたプリントメディア２０が複数のローラ９０によりＹ方向に回転可能に支持される構造をしている。そして、そのプリントメディア２０を支持する複数のローラ９０が、テーブル１０及び移動手段５０の一部を構成している。９２は、ローラ９０をＹ方向に回転させる電動モータである。
このプリンタにおいては、円筒状をしたプリントメディア２０の半径が小さくて、そのプリントメディア２０表面の曲率が大きい場合には、そのプリントメディア２０表面とインクジェットヘッド３２との間の距離が大きく離れて、良好なプリント画像が得られない虞れがある。そうした場合は、インクジェットヘッド３２から噴射させるインク滴の吐出色に制限を加えると、その曲率が大きい円筒状をしたプリントメディア２０表面にも良好な画像をプリントすることができる。
また、円筒状をしたプリントメディア２０をＹ方向に回転させた際に、プリントメディア２０がローラ９０周囲から浮き上がり、プリントメディア２０に回転ムラが生じる虞れがある場合には、プリントメディア２０をその上方向から加圧して、ローラ９０周囲からのプリントメディア２０の浮き上がりを防止すると良い。
【００３５】
図５に示したプリンタは、皿状をしたプリントメディア２０表面に絵図又は／及び文字をプリントするためのプリンタであって、その皿状をしたプリントメディア２０が複数のローラ９０によりＹ方向（図５の表裏面方向）に移動可能に支持される構造をしている。そして、そのプリントメディア２０を支持する複数のローラ９０が、テーブル１０及び移動手段５０の一部を構成している。９２は、ローラ９０をＹ方向に回転させる電動モータである。
このインクジェットプリンタにおいては、インクジェットヘッド３２を把持したキャリッジ３０のＸ方向の移動方向が所定の一方向のみであると、インクジェットヘッド３２などがプリントメディア２０とぶつかり合う虞れがある。そのために、インクジェットヘッド３２を把持したキャリッジ３０のＸ方向の移動方向をプリントメディア２０の表面形状に倣って変更させる手段を備えるか、又はテーブル１０を下方に降下させる手段を備えて、インクジェットヘッド３２などがプリントメディア２０などとぶつかり合うのを回避する必要がある。
また、皿状をしたプリントメディア２０の曲率が大きい場合には、プリントメディア２０表面とインクジェットヘッド３２との間の距離が大きく離れて、良好なプリント画像が得られない虞れがある。そうした場合にも、上記と同様に、インクジェットヘッド３２から噴射させるインク滴の吐出色に制限を加えると、その曲率が大きいプリントメディア２０表面にも良好な画像をプリントすることができる。
また、皿状をしたプリントメディア２０をＹ方向に移動させた際に、プリントメディア２０がローラ９０周囲から浮き上がり、プリントメディア２０に移動ムラが生じる虞れがある場合には、上記と同様に、プリントメディア２０をその上方向から加圧して、ローラ９０周囲からのプリントメディア２０の浮き上がりを防止すると良い。
【００３６】
図６に示したプリンタでは、ヘルメット、植木鉢などのラッパ状又は半円弧状をしたプリントメディア２０表面に絵図又は／及び文字をプリントするためのプリンタであって、そのラッパ状又は半円弧状をしたプリントメディア２０が、回転軸１００周囲に放射状に並ぶ複数の支持棒１１０周囲に被冠されて、その複数の支持棒１１０周囲に亙って回転軸１００を中心にＹ方向に回転可能に支持される構造をしている。そして、その回転軸１００周囲に放射状に並ぶ複数の支持棒１１０が、テーブル１０及び移動手段５０の一部を構成している。１０２は、回転軸１００を回転させる電動モータである。
複数の支持棒１１０は、その長さが伸び縮みする構造をしていて、プリントメディア２０を複数の支持棒１１０周囲から取り外す際には、その複数の支持棒１１０を縮めて、その複数の支持棒１１０周囲からプリントメディアを抵抗なく取り外せるように構成されている。また、複数の支持棒１１０周囲に亙ってプリントメディア２０を支持する場合には、その複数の支持棒１１０を伸ばして、その複数の支持棒１１０周囲に亙ってプリントメディア２０を動かぬように確実に支持できる構造をしている。
さらに、支持棒１１０先端には、バキュームパッド１１２が装着されていて、そのバキュームパッド１１２を介して、支持棒１１０先端にプリントメディア２０を落下せぬように確実に吸着させることができる構造をしている。
【００３７】
第１、第２のインクジェットプリンタを用いた第１、第２のプリント方法においては、プリントメディア２０の材質の違いにより、そのプリントメディア２０表面にプリントされる絵図又は／文字の画像品質が低下する虞れがある。そうした場合には、インクジェットヘッド２０から噴射させるインク滴のインクの種類をソルベントインクとしたり、ＵＶインクとしたり、又はその画像品質が低下する虞れのあるプリントメディア２０に表面処理を施したりして、その材質の違うプリントメディア２０表面にプリントされる絵図又は／文字の画像品質を向上させると良い。
【００３８】
また、インクジェットヘッド３２から噴射させるインク滴のインクに耐候性や耐水性に優れたソルベントインクやＵＶインクを用いる場合には、そのインクジェットヘッド３２から噴射させてプリントメディア２０表面に着弾させるインク滴のプリントメディア２０表面に対してのインク付着力を高めるために、そのインク滴を着弾させるプリントメディア２０を加熱して、そのプリントメディア２０の温度を高めると良い。
このプリントメディア２０を加熱する加熱手段としては、例えば図２又は図３に示したプリンタの、型板８０を加熱して、その型板８０周囲に被せるＴシャツ等のプリントメディア２０を加熱する方法が考えられる。型板８０の加熱手段としては、型板８０自体をセラミックヒータから構成すると良い。また、型板８０をメッシュ構造として、その型板８０のメッシュ目から熱風を型板８０周囲に被せるＴシャツ等のプリントメディア２０に当てることにより、そのプリントメディア２０を加熱しても良い。
【産業上の利用可能性】
【００３９】
本発明の第１、第２のインクジェットプリンタを用いた本発明の第１、第２のプリント方法は、Ｔシャツ表面の左胸中央部分等の所望位置や所望エリア内に所望大きさの様々の絵図又は／及び文字をダイレクトにプリントしたり、平面形状、立体形状等をした革製品やプラスチック、ガラス、陶器等のプリントメディア表面の所望位置や所望エリア内に所望大きさの様々の絵図又は／及び文字をダイレクトにプリントしたりするのに、広く有効利用可能である。
【図面の簡単な説明】
【００４０】
【図１】本発明の第１、第２のインクジェットプリンタの概略構成図である。
【図２】本発明の第１のインクジェットプリンタを用いた第１のプリント方法の説明図である。
【図３】本発明の第２のインクジェットプリンタを用いた第２のプリント方法の説明図である。
【図４】本発明の第１、第２のインクジェットプリンタの概略構成図である。
【図５】本発明の第１、第２のインクジェットプリンタの概略構成図である。
【図６】本発明の第１、第２のインクジェットプリンタの概略構成図である。
【符号の説明】
【００４１】
１０  テーブル
１２  ガイドテーブル
２０  プリントメディア
２２  Ｔシャツの襟首の根本部分
２４  Ｔシャツの左胸中央上部
２６  Ｔシャツの左胸中央右側上部
２８  Ｔシャツの左胸中央左側下部
３０  キャリッジ
３２  インクジェットヘッド
３４  ガイドレール
４０  ホストコンピュータ
４２  ディスプレイ
４４  記憶手段
５０  移動手段
５２  ジョグキー
６０  指示手段
６２  照射手段
７０  座標読み取り手段
７２  座標表示手段
７６  イメージ表示手段
７８  プリント手段
８０  型板
９０  ローラ
９２  電動モータ
１００  回転軸
１０２  電動モータ
１１０  支持棒
１１２  バキュームパッド
【図１】
2006076099.tif 000003
【図２】
2006076099.tif 000004
【図３】
2006076099.tif 000005
【図４】
2006076099.tif 000006
【図５】
2006076099.tif 000007
【図６】
2006076099.tif 000008